(57)【要約】【課題】ゴルフスイングの際に芝生面上で最適なグリップ力を有するとともに、クラブハウス等の床面の損傷を防止することができ、しかも、アスファルト面等を歩行しても突起の摩耗、損傷が少なく、安定性、耐久性及び衝撃吸収性に優れ、日常一般的な用途の靴にも使用できる優れた利便性を有する靴底を提供すること。【解決手段】爪先側ほど靴底１０からの高さが大きくなるように先端面が斜面状に形成された第１の滑り止め突起４と、踵側ほど靴底１０からの高さが大きくなるように先端面が斜面状に形成された第２の滑り止め突起５と、を靴の裏面の中央部に交互に複数配置した靴底１０であって、各滑り止め突起４，５の前後方向の鉛直断面がノコ歯状となるように先端部に左右方向を向いた複数の溝１１を形成したことを特徴とする。【選択図】  図８
2005040237.tif 000002
【特許請求の範囲】
【請求項１】
爪先側ほど靴底からの高さが大きくなるように先端面が斜面状に形成された第１の滑り止め突起と、踵側ほど靴底からの高さが大きくなるように先端面が斜面状に形成された第２の滑り止め突起と、を靴の裏面の中央部に交互に複数配置した靴底であって、
前記各滑り止め突起の前後方向の鉛直断面がノコ歯状となるように先端部に左右方向を向いた複数の溝を形成したことを特徴とする靴底。
【請求項２】
爪先側ほど靴底からの高さが大きくなるように先端面が斜面状に形成された第１の滑り止め突起と、踵側ほど靴底からの高さが大きくなるように先端面が斜面状に形成された第２の滑り止め突起と、を靴の裏面の中央部に交互に複数配置した靴底であって、
前記各滑り止め突起の前後方向の鉛直断面がノコ歯状となるように先端部に左右方向を向いた複数の溝を形成するとともに、
左右方向の係止力を増大させる凹部を当該滑り止め突起の先端部に複数設けたことを特徴とする靴底。
【請求項３】
爪先側ほど靴底からの高さが大きくなるように先端面が斜面状に形成された第１の滑り止め突起と、踵側ほど靴底からの高さが大きくなるように先端面が斜面状に形成された第２の滑り止め突起と、を靴の裏面に交互に配置した靴底であって、
前記各滑り止め突起は、先端面に複数の溝を備えるとともに、靴底からの高さが高い方の辺がより低い方の辺より長く形成された略台形の底面を有する四角柱状に形成されていることを特徴とする靴底。
【請求項４】
爪先側ほど靴底からの高さが大きくなるように先端面が斜面状に形成された第１の滑り止め突起と、踵側ほど靴底からの高さが大きくなるように先端面が斜面状に形成された第２の滑り止め突起と、を靴の裏面に交互に配置した靴底であって、
前記各滑り止め突起は、靴底と水平方向の断面形状が略台形の底面をなす四角柱状に形成されているとともに、
前記各滑り止め突起の前後方向の鉛直断面がノコ歯状となるように先端部に左右方向を向いた複数の溝を有する柱状の滑り止め突起を互いに離間させて靴底の中央部に複数配置したことを特徴とする靴底。
【請求項５】
前記第１の滑り止め突起及び第２の滑り止め突起は、靴の前後方向に複数の列をなすように配置されており、その左右の列で互いにその位置がずれて配置されていることを特徴とする請求項１〜４の何れかに記載の靴底。
【請求項６】
滑り止め突起の高さは、その最大高さが靴底からの高さ約３．０ｍｍから７．０ｍｍの範囲から選択され、その最低高さが靴底からの高さ約１．０ｍｍから５．０ｍｍの範囲から選択されることを特徴とする請求項１〜５の何れかに記載の靴底。
【請求項７】
滑り止め突起は、ＪＩＳ−Ａ硬度５５度〜８０度の範囲内から選択されていることを特徴とする請求項１〜６の何れかに記載の靴底。
【請求項８】
各滑り止め突起は、オイル添加剤入り耐摩ゴムからなることを特徴とする請求項１〜７の何れかに記載の靴底。
【請求項９】
各滑り止め突起の隙間が芝がからみ合うのに適した寸法、すなわち、約１．０ｍｍ〜６．０ｍｍの範囲となるように形成されていることを特徴とする請求項１〜８の何れかに記載の靴底。
【発明の詳細な説明】
【０００１】
【発明の属する技術分野】
本発明は、主にゴルフ用に最適な靴でありながら、ゴルフ以外の日常一般的な用途にも使用できる靴の靴底、特に靴底のパターンの改良に関する。
【０００２】
【従来の技術】
従来、ゴルフ用靴の靴底としては、複数の金属製又はゴム製の突起を設けた靴底がある。
このような靴底は、大別して以下の３種類がある。第１の靴底は、金属製又はゴム製の突起を芝生に突き刺して靴の滑りを止めるゴルフシューズの靴底である（特許文献１参照）。
また、第２の靴底は、多方向にランダムに突起を向けて形成した靴底である（特許文献２〜６参照）。
そして、第３の靴底は、主に前後方向に突起を配置した靴底である（特許文献７〜９参照）。
【０００３】
【特許文献１】実開平６−４６５０２号公報（請求項１、第１図）ゴルフシューズ
【特許文献２】実用新案登録第３００６４１０号公報（請求項１，第１図）ノンスリップキャディシューズ
【特許文献３】特開平１１−１６４７０３号公報（請求項１，第１図）ゴルフシューズ
【特許文献４】特許第２９４６２１５号公報（請求項１，第１図）ゴルフ用靴
【特許文献５】特許第３１３４１５５号（請求項１，第１図）ゴルフシューズ用スパイク鋲
【特許文献６】特許第３１３４１５６号（請求項１，第１図）ゴルフシューズ用スパイク鋲
【特許文献７】特開２００１−２９９４０６号公報（請求項１，第１図）ゴルフシューズ
【特許文献８】特開２００２−４５２０３号公報（請求項１，第１図）ゴルフ靴
【特許文献９】特開２００２−４５２０５号公報（請求項、第１図）ゴルフ靴
【０００４】
【発明が解決しようとする課題】
しかしながら、前述のゴルフ用靴等は、非常に複雑な運動であるゴルフスイングには、防滑性能向上の観点から未だ改良の余地がある。
【０００５】
特許文献１の金属製の突起を備えた靴底は、靴底からの突き上げ感があったり、また、ゴルフコース中に設けられた歩行用通路の路面、クラブハウス等の建物内を歩行すると路面や床を痛める等の問題があった。また、金属製の突起を備えた靴底は、コンクリート製のものが多い坂道等では滑る危険があった。さらに、パッテンググリーンを痛めるため、近年では金属製の突起を備えた靴底はゴルフシューズ用としてはあまり好まれて用いられていない。
【０００６】
一方、特許文献２〜６の靴底は、突起が芝生に刺さり易いものの芝生面上での安定性が悪く、滑り易い。例えば、歩行時の体重を靴底全体に乗せた場合に、靴底が芝生面とスリップを起こし易いという問題があった。しかも、アスファルト面を歩行する場合には、突起が摩耗してしまい、損傷が激しく、耐久性及び衝撃吸収性に問題があった。これらの靴底は、スイング時と歩行時のグリップの調和が図られていないと考えられ、安定性が悪く、日常一般的な用途には向かない。
【０００７】
また、特許文献７〜９の靴底は、ゴルフのスイング時に靴底にかかる力すべてに対応しきれていない。したがって、ゴルフのスイングの際に芝生面上で最適なグリップ力を得ることができず、靴底が芝生面とスリップを起こすことがある。スリップが起こると、スイングフォームが乱れて正確な打球を行えないという問題点があった。
【０００８】
本発明者は、トップ位置からインパクトにかけて足にかかる力のベクトル（すなわち大きさと方向）について解析を行った結果、以下のことが判明した。つまり、ゴルフのスイング中にかかる力の主な方向として、靴の前方を１２時の方向とした場合に、右足では３時から６時までの時計回りに足裏の中心から放射線状に働き、左足では２時から８時まで（又は７時程度）反時計回りに足裏の中心から放射状に働いている（図２参照）。なお、この場合はゴルフプレーヤーが右利きの場合の説明である。
【０００９】
すなわち、本発明者が解析したところによると、ゴルフスイングは、軸足では、力は踵から爪先に向かう２方向のみにかかるのではなく、放射状に働き、スイングの進行に応じて、経時的に移行する。詳細には、テイクバックの際にかかる力は右利きプレーヤーの左足では２時から４時まで時計回りに放射状に働く。トップ位置では力は足の打撃方向後寄り（ゴルファーの軸足にとってのインサイド寄りの約５時の方向）に主としてかかっている。ダウンスイングからインパクトへのスイングの進行に応じて、主として力のかかる位置は足の中央へ（約３時の方向）と時系列的に放射状に移行する。そして、インパクトからフォロースルーへのスイングの進行に応じて、力の方向も完全な爪先方向（約１２時の方向）へ、さらには前寄り（ゴルファーの軸足にとってのアウトサイド寄りの約１１時の方向）へ、そしてやや前側向きな爪先方向から土踏まず方向（約８時の方向）へと経時的に移行する。つまり、トップからフォロースルーにかかる力は２時から８時（又は７時程度）まで反時計回りに放射状に働き、移行する。
【００１０】
次に蹴足では、力は爪先から踵に向かう２方向ではなく、放射状に働き、スイングの進行に応じて、経時的に移行する。詳細には、テイクバックでは力は足の打撃方向後寄り（ゴルファーの蹴足にとってのアウトサイド寄りの約１時の方向）に主としてかかっている。テイクバックの始動からトップにかけて、主として力のかかる位置は足の中央へ（約３時の方向）、そして後寄り（ゴルファーの蹴足にとってのアウトサイド寄りの約６時の方向）へと、３時から６時までの時計回りに放射状に働き、移行する。
【００１１】
一方、靴底の中央部は、主として靴底の装着者による荷重が靴底と直交する方向に加えられている際に、グリップ力を発揮するために重要となる部分であり、靴の周縁部における靴底の形状とは異なる配慮を必要とするものである。
【００１２】
そこで、本発明は以上のような問題点に鑑み、上記知見に基づいてなされたものであり、その目的は、芝生面を歩行する際、及び靴底にかかる力の方向が時間とともに変化する非常に複雑な運動であるゴルフスイングの際に芝生面上で最適なグリップ力を発揮するとともに、ゴルフコース又はクラブハウスの床面の損傷を防止することができ、しかも、アスファルト面等を歩行しても突起の摩耗、損傷が少なく、安定性、耐久性及び衝撃吸収性に優れ、芝生面、アスファルト面を問わず日常一般的な用途の靴にも使用できる優れた利便性を有する靴底を提供することである。
さらに、本発明の目的は、ゴルフのスイング時と歩行時のグリップ力との調和を図り優れた安定性を備える靴底を提供することである。
【００１３】
【課題を解決するための手段】
本発明に係る靴底は、ゴルフスイングの際に芝生上で最適なグリップ力を有する靴底を開発するにあたり以下の点を考慮し、最適なグリップ力を追究した。
１．スイング時における最適なグリップ方向を生じる柱状突起の配置と形状
２．芝生の茎、根又は葉との噛み合いに適した柱状突起の配置と隣接する柱状突起の間隙と形状
３．歩行時における安定性と適当なグリップ力を生じる柱状突起の形状と配置
４．靴底の材質
【００１４】
以下、各項目毎に説明する。
１．スイング時における最適なグリップ方向を生じる柱状突起の配置と形状
本発明に係る靴底では、複数及び複数種の柱状突起を、靴の裏面の外縁部に異なる種々の方向を向くように配置する。すなわち、第１から第３の柱状突起を、第１の柱状突起を中心として円弧又は楕円弧の外側約半分に該当する部分に、第２及び第３の柱状突起を配置し、柱状突起の側面によって構成される壁状の滑り止め面が種々の方向を向くように配置するのである。特に、第２の柱状突起を、その一側面がゴルフプレーヤーのスイング時にかかる力の方向に対して直交する向きに配置してあると、力を的確に受け止めることができ効果的である。
【００１５】
さらに、第２の柱状突起を、第１の柱状突起を中心として円弧又は楕円弧の外側約半分に該当する部分であって、靴の側方、斜め前方及び前方に対向する向きに３箇所配置する。さらに、この第２の柱状突起を含む円弧又は楕円弧状に配置された柱状突起群をあたかも１ユニット突起のようにして、第２の柱状突起の一側面によって構成される壁状の滑り止め面が異なる種々の方向を向くように複数配置した場合には、ゴルフスイングの際に靴中央部から外側部に向かって連続的に靴底に発生する力と対向でき、スイング中にかかる力（反時計回りと放射状に働く力）のほとんどに対応することができるため、強いグリップ力を生み出すことが可能である。
【００１６】
２．芝生の茎、根又は葉との噛み合いに適した柱状突起の配置と隣接する柱状突起の間隙と形状
柱状突起を上記のように配置するとともに、上記柱状突起間に芝生の茎、根又は葉が入り込んで強く嵌合する適度な間隙を有するように互いに適宜の間隔をなすように各柱状突起を配置するのである。このように、芝生の茎、根又は葉との噛み合いに適した柱状突起の配置と隣接する柱状突起の間隙と形状を考慮することにより、隣接する柱状突起の間に形成される隙間に芝生の茎、根又は葉が入り込んで強く嵌合するため、強いグリップ力を生み出すことが可能である。柱状突起間の隙間は、およそ１．０ｍｍ〜６．０ｍｍの範囲内、すなわち、約１．０ｍｍ、約２．０ｍｍ、約３．０ｍｍ、約４．０ｍｍ、約５．０ｍｍ、約６．０ｍｍなどから選択してあることが好ましい。
【００１７】
３．歩行時における安定性と適当なグリップ力を生じる柱状突起の形状と配置歩行に対しての柱状突起の形状をギザギザの形状にし、そのポイント（柱状突起）を互い違いに配置することにより、前後の歩行に対する強いグリップ力が生まれる（図８（ａ）参照）。
また、硬い路面の上を歩行する場合は、ギザギザ部分が撓むことで程良いクッション性が生まれ足にかかる負担を軽減する効果がある（図８（ｂ）参照）。
さらに、雨の日の使用においては、ギザギザ部分の溝が適度に水を排出するため、濡れた路面でもグリップ力に優れている。
【００１８】
４．靴底の材質
靴底の材質を、最適な配合のオイル添加剤入り耐摩ゴムとすることにより、ゴルフコース又はクラブハウスの床面の損傷を防止することができ、しかも、アスファルト面等を歩行しても突起の摩耗、損傷が少なく、耐久性及び衝撃吸収性に優れている。
【００１９】
本願請求項１記載の発明に係る靴底は、図面に使用する符号を付して説明すると、「爪先側ほど靴底１０からの高さが大きくなるように先端面が斜面状に形成された第１の滑り止め突起４と、踵側ほど靴底１０からの高さが大きくなるように先端面が斜面状に形成された第２の滑り止め突起５と、を靴の裏面の中央部に交互に複数配置した靴底１０であって、前記各滑り止め突起４，５の前後方向の鉛直断面がノコ歯状となるように先端部に左右方向を向いた複数の溝１１を形成した」ところに特徴を有するものである。
【００２０】
すなわち、第１及び第２の滑り止め突起４，５の形状を、前後方向の鉛直断面がノコ歯状となるように先端部に左右方向を向いた複数の溝１１を形成してギザギザの形状にし、その第１及び第２の滑り止め突起４，５を靴の裏面の中央部に互い違いに配置したことにより、特に靴の前後方向に強いグリップ力が生まれ、靴底全体に体重を乗せた際の安定性とグリップ力に優れるとともに靴底１０を前後方向に動かしたり斜面を斜め方向に上り下りするなどの歩行の際に好適なグリップ力が得られるのである。
【００２１】
また、アスファルト等の硬い路面を歩行する場合には、第１及び第２の滑り止め突起４，５の先端部であるギザギザ部分が撓むことにより、程良いクッション性が生まれ、足にかかる負担を軽減する効果がある。
【００２２】
さらに、雨天の際のゴルフプレーや歩行の場合には、溝１１が適度に水を排水するので、濡れた路面でもグリップ力に優れている。
【００２３】
また、請求項２記載の発明に係る靴底は、「爪先側ほど靴底１０からの高さが大きくなるように先端面が斜面状に形成された第１の滑り止め突起４と、踵側ほど靴底１０からの高さが大きくなるように先端面が斜面状に形成された第２の滑り止め突起５と、を靴の裏面の中央部に交互に複数配置した靴底１０であって、前記各滑り止め突起４，５の前後方向の鉛直断面がノコ歯状となるように先端部に左右方向を向いた複数の溝１１を形成するとともに、左右方向の係止力を増大させる凹部１２を当該滑り止め突起４，５の先端部に複数設けた」ところに特徴を有するものである。
【００２４】
すなわち、請求項２記載の発明に係る靴底１０は、請求項１記載の発明に係る靴底と同様の作用を有するとともに、第１及び第２の滑り止め突起４，５の先端部に凹部１２が形成してあることにより、第１及び第２の滑り止め突起４，５の先端部の表面面積が凹部１２がない場合より広いので左右方向の係止力を増大させることができ、より強いグリップ力が生まれる。さらに、凹部１２が形成してあることにより、より先端部が撓み易く、衝撃吸収力及び安定性に優れる。
【００２５】
また、請求項３記載の発明に係る靴底は、「爪先側ほど靴底１０からの高さが大きくなるように先端面が斜面状に形成された第１の滑り止め突起４と、踵側ほど靴底１０からの高さが大きくなるように先端面が斜面状に形成された第２の滑り止め突起５と、を靴の裏面に交互に配置した靴底１０であって、前記各滑り止め突起４，５は、先端面に複数の溝１１を備えるとともに、靴底１０からの高さが高い方の辺がより低い方の辺より長く形成された略台形の底面を有する四角柱状に形成されている」ところに特徴を有するものである。
【００２６】
すなわち、請求項３記載の発明に係る靴底は、先端部に溝１１を備えるとともに、略台形の底面を有する四角柱状に形成し、その第１及び第２の滑り止め突起４，５を靴の裏面の中央部に互い違いに配置したことにより、スイングの際の安定性が得られるとともに、靴底１０からの高さが高い方の辺が防滑壁として作用し、靴の前後方向の力に強いグリップ力が生まれるので、靴底１０を前後方向に動かす歩行の際に特に好適なグリップ力が得られる。
【００２７】
また、請求項４記載の発明に係る靴底は、「爪先側ほど靴底１０からの高さが大きくなるように先端面が斜面状に形成された第１の滑り止め突起４と、踵側ほど靴底１０からの高さが大きくなるように先端面が斜面状に形成された第２の滑り止め突起５と、を靴の裏面に交互に配置した靴底１０であって、前記各滑り止め突起４，５は、靴底１０と水平方向の断面形状が略台形の底面をなす四角柱状に形成されているとともに、前記各滑り止め突起４，５の前後方向の鉛直断面がノコ歯状となるように先端部に左右方向を向いた複数の溝１１を有する柱状の滑り止め突起４，５を互いに離間させて靴底１０の中央部に複数配置した」ところに特徴を有するものである。
【００２８】
すなわち、略台形の底面を有する四角柱状に形成するとともに、複数の溝１１を有する柱状の滑り止め突起４，５を互いに離間させて靴底１０の中央部に複数配置したことにより、靴の前後方向の力に強いグリップ力を得ることができるのである。
【００２９】
また、請求項５記載の発明に係る靴底は、請求項１〜４の何れかに記載の靴底において、「前記第１の滑り止め突起４及び第２の滑り止め突起５は、靴の前後方向に複数の列をなすように配置されており、その左右の列で互いにその位置がずれて配置されている」ところに特徴を有するものである。
【００３０】
さらに、請求項６記載の発明に係る靴底は、請求項１〜５の何れかに記載の靴底において、「滑り止め突起４，５の高さは、その最大高さが靴底１０からの高さ約３．０ｍｍから７．０ｍｍの範囲から選択され、その最低高さが靴底からの高さ約１．０ｍｍから５．０ｍｍの範囲から選択される」ところに特徴を有するものである。
【００３１】
請求項８記載の発明に係る靴底は、請求項１〜７の何れかに記載の靴底において、「各滑り止め突起４，５は、オイル添加剤入り耐摩ゴムからなる」ところに特徴を有するものである。
【００３２】
請求項９記載の発明に係る靴底は、請求項１〜８の何れかに記載の靴底において、「各滑り止め突起４，５の隙間が芝がからみ合うのに適した寸法、すなわち、約１．０ｍｍ〜６．０ｍｍの範囲となるように形成されている」ところに特徴を有する。
【００３３】
【発明の実施の形態】
本発明の実施の形態を実施例に基づき図を参照して説明する。図１は、本発明に係る靴底の外観を示す斜視図である。靴底１０は、図１に示すように、靴の裏面に合成ゴムからなる柱状突起１，２，３，４，５，６，７が複数形成してある。
【００３４】
靴底１０は、ゴルフスイングの際の適切なグリップ力と歩行の際の適切なグリップ力との調和を図り最適なグリップ力を得るために、以下のように柱状突起１，２，３，４，５，６，７が配置してある。まず、柱状突起１，２，３，６，７は、靴底１０を傾けた姿勢でグリップするゴルフスイングの際の最適なグリップ力を得るために、互いに適宜の間隔をなすように靴底１０の左右両側部に複数配置してある。一方、柱状突起４，５は、体重を靴底１０全体に乗せる場合や斜面を上り下りする際グリップする歩行の際の最適なグリップ力を得るために、互いに離間させて靴底１０の中央部に複数配置してある。
【００３５】
そして、柱状突起１，２，３は、図２及び３に示すように、芝生面に刺さり易い細長い柱状突起１，２と、柱状突起１，２より太く短く形成され、芝生を押圧し易くした柱状突起３と、を互いに適宜の間隔をなすように裏面に配置するとともに、各柱状突起１，２，３の側面によって構成される壁状の滑り止め面が右利きのゴルフプレーヤーのスイング時の左足にかかる約２時〜約８時の反時計回りの力Ｆ１１〜Ｆ１８の経時方向に対応するように、各柱状突起１，２，３を左足の爪先から土踏まずに対応する靴の裏面の外縁部に異なる種々の方向を向くように配置してある。勿論、柱状突起１，２，３の配置は、上記スイング時の左足にかかる約２時〜７時の反時計回りの力Ｆ１１〜Ｆ１９の経時方向に対応する配置であっても良い。
【００３６】
また、同様にして、各柱状突起１，２，３の側面によって構成される壁状の滑り止め面が右利きのゴルフプレーヤーのスイング開始後の右足にかかる約３時〜約６時の時計回りの力Ｆ２１〜Ｆ２５の経時方向に対応するように、各柱状突起１，２，３を左足の爪先から土踏まずに対応する靴の裏面の外縁部に異なる種々の方向を向くように配置してある。
【００３７】
さらに、左足の土踏まずから踵に対応する靴の裏面の左右両外縁部においては、各柱状突起１，２，３の側面によって構成される壁状の滑り止め面が右利きのゴルフプレーヤーのスイング時の左足にかかる約２時〜約８時の反時計回りの力の経時方向、及び同プレーヤーのスイング開始後の右足にかかる約３時〜約６時の時計回りの力の経時方向に対応するように、各柱状突起１，２，３が配置してある。
【００３８】
また、柱状突起１，２，３は、図４（ａ）に示すように、柱状突起３を、芝生面に刺さり易い柱状突起１，２より０．５ｍｍ〜３．０ｍｍ短く形成し、芝生を押圧し易くするとともに、靴の外縁部側に弧をなす半円上又は半楕円上に互いに適宜の間隔をなすように配置し、かつ、その柱状突起間に形成される隙間が異なる種々の方向を向くようにしてある。これにより、ゴルフの際の靴底１０と芝生面との関係は、図４（ｂ）に示すように、隣接する柱状突起の間に形成される隙間に芝生の茎、根又は葉が入り込んで強く嵌合し、異なる種々の力の方向に対応でき、強いグリップ力を生み出すことができる。
【００３９】
すなわち、柱状突起１，２，３は、互いに適宜の間隔をなすように裏面に配置し、第１の柱状突起１を中心として円弧又は楕円弧の外側約半分に該当する部分に、第２及び第３の柱状突起２，３を配置してあるのである。
【００４０】
複数の柱状突起１，２，３は、図５に示すように、複数の柱状突起２の側面が互いに異なる方向を向くようにその配置角度が変更して形成してある。このように複数の柱状突起２が異なる種々の方向に向くように配置してあると、ゴルフスイングの際の経時的に変化する靴中央部から外側部に向けて放射状に変化する靴底１０にかかる種々異なる方向の力Ｆ１１〜Ｆ１９の向きに対応でき、最適なグリップ力を得ることができる。
【００４１】
さらに換言すれば、これら柱状突起１，２，３は、図６に示すように、柱状突起２を柱状突起１を中心として放射状に３方向に配設し、柱状突起３を柱状突起２の間に配設して、柱状突起１，２，３を略半円弧状に並べて配置するとともに、半円弧状に配置される複数の柱状突起２の外側面がスイング時に靴の側方Ｆｓ、斜め前方Ｆｏ及び前方Ｆｆに向かって連続的に発生する力と対向する向きに形成してあるのである。
【００４２】
柱状突起１は、特に細長い略円柱状に形成してあり、芝の根本まで刺さり易くなっており、柱状突起１の先端部の面積が、柱状突起１の基端部の面積より狭くなるように形成してある。つまり、縦断面が略台形となるような先細りの円柱状に形成してあるのである。また、柱状突起１の硬度は、ＪＩＳ−Ａ硬度６５〜９０度の範囲内から選択してある。
【００４３】
柱状突起２は、略三角柱状に形成してあり、柱状突起２の先端部の面積が、柱状突起２の基端部の面積より狭くなるように形成してある。つまり、縦断面が略台形となるような先細りの角柱状に形成してあるのである。また、柱状突起２の硬度は、柱状突起１と同様の硬度範囲内から選択してある。
【００４４】
また、柱状突起２は、柱状突起２の一側面がゴルフプレーヤーのスイング時にかかる力の方向に対して直交する向きに配置してあり、ゴルフスイングの際に靴底１０にかかる力に対して適切にグリップ力を発揮することができるようにしてある。
【００４５】
さらに、柱状突起２の側面に、先端部から基端部にかけて鉛直方向に互いに適宜の間隔をなすように形成された２つの細長い溝２ａを設けると、さらに滑り止め効果を発揮することができる。また、側面の溝２ａにより、優れた排水効果を発揮し、例えば芝生面が濡れている場合であっても優れたグリップ力を発揮できる。
【００４６】
また、柱状突起３は、略六角柱状に形成してあり、柱状突起１，２と同様に柱状突起３の縦断面が略台形となるように、先細りの略六角柱状に形成してある。柱状突起３の高さは、柱状突起１，２の高さより低く形成してある。柱状突起３の先端部の芝当接面には、細長いスリット状の凹部３ａを形成してある。これにより、排水効果を有するとともに、先端部が撓み易く、芝を押圧し易い。
【００４７】
また、柱状突起３は、図７に示すように、柱状突起１，２より太く短く形成され、芝生を押圧し易くした柱状の突起である。また、柱状突起３の硬度は、ＪＩＳ−Ａ硬度５５度〜８０の範囲内であって、柱状突起１，２より低い硬度に設定してある。よって、柱状突起１，２の硬度は、柱状突起３の硬度より高い。このように、柱状突起１，２の硬度を、柱状突起３の硬度より高くしてあると、柱状突起１，２が、より芝生面に刺さり易く、かつ、芝への食い込みが良くなるとともに、ゴルフスイングの際の力に負けない。また、このようにしてあると、柱状突起３の硬度が、柱状突起１，２の硬度より低く柔らかいことにより、安定性を良くし、歩行時の突き上げを吸収することができる。
【００４８】
さらに、柱状突起３は、硬度が高い柱状突起１，２の先端部の面積と、硬度が低い柱状突起３の先端部の面積とが、面積比１対１〜１対３の範囲内から選択してあると、柱状突起１，２が芝に食い込む面積と柱状突起３が芝に食い込む面積の比率が同等乃至前者より後者の面積比率が大きくなり、バランス良くグリップさせることができる。
【００４９】
一方、靴底１０には、図８に示すような、前後方向の鉛直断面がノコ歯状となるように先端部に左右方向を向いた複数の溝１１を有する柱状突起４，５を互いに離間させて靴裏の中央部に複数配置してある。靴底１０の前部には、３列で約２４個、中央部には、２列で約１２個、後部には、３列で約１７個設けられており、何れも靴底１０の面積における約２５％〜５０％程度を占めるように設けてある。本実施例では、前部が靴底の約４０％、中央部が約２５％、後部が約６０％程度に設定してある。
【００５０】
柱状突起４，５は、主として靴の装着者による荷重が靴底と直交する方向に加えられる際に、グリップ力を発揮するために重要となる部分であり、ゴルフスイングの際、及び歩行の際の靴の前後方向にかかる力などに対応する滑り止め突起として作用するものであり、前方ほど靴底からの高さが大きくなるように先端面が斜面状に形成された柱状突起４と、後方ほど靴底１０からの高さが大きくなるように先端面が斜面状に形成された柱状突起５とを交互に配置したものである。
【００５１】
また、柱状突起４、５は、最も高い先端部のみを平らに形成してある。一方、これ以外の複数のノコ歯状の柱状突起４，５の先端部には、前後方向の一歯飛びに左右方向の係止力を増大させる凹部１２を柱状突起４，５の先端中央部に形成してある。また、柱状突起４，５は、靴底１０からの高さが高い方の辺がより低い方の辺より長く形成された略台形の底面を有する四角柱状に形成してある。
【００５２】
さらに、柱状突起４，５は、靴の前後方向に複数の列をなすように配置してあり、その左右の列で互いにその位置がずれて配置してある。その柱状突起４，５の高さは、その最大高さが靴底１０からの高さ約３．０ｍｍから７．０ｍｍの範囲から選択され、その最低高さが靴底からの高さ約１．０ｍｍから５．０ｍｍの範囲から選択してある。
【００５３】
柱状突起６は、略四角柱状に形成してあり、靴底１０の周縁部に略全周に適宜の間隔をあけて形成してある。柱状突起６の高さは、柱状突起３の高さより低くしてある。柱状突起６の硬度は、柱状突起３の硬度と同等であり、芝生を押圧し易くしてある。これにより、柱状突起１，２，３を補うとともに、靴底１０の安定性を補強し、突き上げ感をなくすように作用している。
【００５４】
柱状突起７は、先端部が略Ｚ字柱状で、この略Ｚ字状の一辺によって構成される壁状の滑り止め面が靴底の横滑り方向に対応するように、足の土踏まずに対応する靴底１０のアウトサイド側の外側に配置してある。さらに、靴底１０のインサイド方向ほど靴底１０からの高さがアウトサイド方向へ徐々に低くなるような略三角柱状とが組合わされたような形状に形成してある。柱状突起７の高さは、略Ｚ字柱状の両側の最先端部の高さが、柱状突起１，２の高さと同等であり、略Ｚ字柱状の中央部である一辺の高さが、柱状突起３の高さと同等にしてある。また、柱状突起７の硬度は、柱状突起１，２の硬度と同等であり柱状突起３の硬度より高い。したがって、柱状突起７は、芝生面に刺さり易く、芝生を押圧することができ、横滑りの原因となる靴底１０にかかる横方向の力を極めて強力に捉えることができ、横滑りに効果的である。
【００５５】
図９は、硬度の高い柱状突起１，２，７と硬度の低い柱状突起３，４，５，６との配置を示す靴底１０全体の底面図である。靴底１０は、図９に示すように、硬度が高い柱状突起１，２，７の先端部の面積は右上がり斜線で表され、硬度が低い柱状突起３，４，５，６の先端部の面積は左上がり斜線で表されている。硬度が高い柱状突起１，２，７の先端部の面積と、硬度が低い柱状突起３，４，５，６の先端部の面積とが、面積比約１対１〜１対３の範囲内、すなわち、５：４，１：１，２：３，１：２，１：３などから選択してあると、柱状突起１，２，７が芝に食い込む面積と柱状突起３，４，５，６が芝に食い込む面積の比率が同等乃至前者より後者の面積比率が大きくなり、バランス良くグリップさせることができる。
【００５６】
各柱状突起１〜７は、表１に示すように、ゴム、オイル及び安定剤を所定の比率で配合したオイル添加剤入り耐摩ゴムからなるものである。
【００５７】
図１０は、本発明に係る靴底１０とスイング前半のその靴底１０にかかる力の方向とを示す靴底１０全体の底面図であり、図１１は、本発明に係る靴底１０とスイング中半のその靴底１０にかかる力の方向とを示す靴底１０全体の底面図であり、図１２は、本発明に係る靴底１０とスイング後半のその靴底１０にかかる力の方向とを示す靴底１０全体の底面図である。図１１〜１３に示したように、ゴルフスイングの際の経時的に変化する異なる種々の方向に的確に捉える配置となっており、優れたグリップ力を有している。
【００５８】
このようにして、複数の柱状突起１，２，３が、靴の裏面の左右両側部に所望の異なる種々の方向に向けて配置してあるので、ゴルファーの足のグリップして欲しい最適な位置で、最適なグリップ力を得られる。また、複数の柱状突起１，２，３の配置位置が左右両側部であり、柱状突起１，２，３の硬度の違い、高さの違い、及び先端部の面積比をバランス良くしたことにより、靴底１０全体に荷重をかけている場合や歩行の際のグリップ力を阻害することがない。
【００５９】
また、クラブハウス等の床面の損傷を防止することができ、しかも、アスファルト面等を歩行しても突起の摩耗、損傷が少なく、耐久性及び衝撃吸収性に優れ、日常一般的な用途の靴にも使用でき、優れた利便性を有する。
【００６０】
さらに、靴底１０の中央部に柱状突起４，５を上述のように配置したことにより、ゴルフのスイング時と歩行時のグリップ力との調和を図れることにより、優れた安定性を備えることができる。すなわち、柱状突起４，５の接地面の形状（靴底と水平方向の断面形状）を台形状とし、かつ、左右に隣接する突起４，５の方向を前後逆方向とするとともに、柱状突起４，５を靴の裏面の中央部に互い違いに配置し（すなわち、左右の柱状突起４，５の前後位置を若干ズラして柱状突起４，５の間に形成される隙間を迷路状（ジグザグ状）としたこと。）、柱状突起４，５の間の隙間に芝が複雑にからみ合うようにしたことにより、靴の前後方向及び左右方向・斜め方向に強いグリップ力が生まれ、ゴルフコースのように複雑な起伏のある場所（斜面）を様々な方向に歩行する際及びそのような斜面上においてボールを打つ際などに好適なグリップ力が得られる。また、アスファルト等の硬い路面を歩行する場合には、柱状突起４，５の先端部であるギザギザ部分が撓むことにより、程良いクッション性が生まれ、足にかかる負担を軽減する効果がある。
【００６１】
さらに、雨天の際のゴルフプレーや歩行の場合には、柱状突起４，５に有する溝１１が適度に水を排水するので、濡れた路面でもグリップ力に優れている。
【００６２】
（実施例）
オイル添加剤入り耐摩ゴムを柱状突起１，２，７にのみ対応する金型に仕込んで加熱・加圧し、先に柱状突起１，２，７を成形し、その後、オイル添加剤入り耐摩ゴムを金型全面に仕込んで加熱・加圧し、柱状突起３，４，５，６を成形して、靴底１０を成形した。そして、加えられる圧力の相違からゴムの密度が相違し、柱状突起１，２，７の硬度はＪＩＳ−Ａ硬度７５度を得、柱状突起３，４，５，６の硬度はＪＩＳ−Ａ硬度６５度を得る。この靴底１０にアッパー部、インソール等を取り付けて、実施例のゴルフ靴を得た。このゴルフ靴の柱状突起１〜７の形状と配置は、図１，４，６，７，８に示される通りである。
【００６３】
柱状突起１は、柱状突起１の先端部の直径の長さが約４．０ｍｍであり、柱状突起１の基端部の直径の長さが約５．０ｍｍである。柱状突起１の高さは、約６．０ｍｍである。また、柱状突起１の硬度は、ＪＩＳ−Ａ硬度７５度とした。
【００６４】
柱状突起２は、柱状突起２の先端部の一辺の長さはそれぞれ約４．０ｍｍ，約５．０ｍｍ，約７．０ｍｍである。また、第２の柱状突起２の基端部の一辺の長さはそれぞれ約６．０ｍｍ，約８．０ｍｍ，９．０ｍｍである。柱状突起２の高さは、約６．０ｍｍである。また、柱状突起２の硬度は、柱状突起１の硬度と同じにした。
【００６５】
柱状突起３は、柱状突起３の高さを約５．０ｍｍにした。また、柱状突起３の硬度は、ＪＩＳ−Ａ硬度６５度にした。
【００６６】
柱状突起４は、柱状突起４の高さを、最高約６．０ｍｍ、最低５．０ｍｍにした。また、柱状突起４の硬度は、柱状突起３の硬度と同じにした。
【００６７】
柱状突起５は、柱状突起５の高さ及び硬度を、柱状突起４と同様にした。
【００６８】
柱状突起６は、柱状突起６の高さを、約４．０ｍｍにした。また、柱状突起６の硬度は、柱状突起３の硬度と同じにした。
【００６９】
柱状突起７は、柱状突起７の高さを、最高約６．０ｍｍ、最低５．０ｍｍにした。また、柱状突起７の硬度は、柱状突起１，２と同じく、ＪＩＳ−Ａ硬度７５度にした。
【００７０】
［比較例］
比較例のゴルフ靴の突起の形状と配置は、例えば図１３，１４に示される通りである。すなわち、靴底８０は、図１３に示すように、爪先方向に凸な線に沿って形成されている爪先側防滑突起と、踵方向に凸な線に沿って形成されている踵側防滑突起を備えている。また、靴底９０は、図１４に示すように、主に前後方向に突起が配置してある。
【００７１】
［グリップ性能の評価］
実施例及び比較例のゴルフ靴に重りを挿入した状態で人工芝の上に置き、バネ計りでシューズを縦方向、横方向に押して何ｋｇで動き出すかを測定した（静摩擦力測定）。この結果が、下記の表２乃至７に示されている。また、表８には、表２から５におけるＴＯＥ方向に押した場合の実験結果を集計し、靴内の加重と摩擦抵抗値との関係としてまとめたものである。ここで、靴内の加重が３５ｋｇの摩擦抵抗値の記載は、それぞれの靴底の摩擦抵抗値の実験結果４点を散布から直線近似し、算出したものである。
【００７２】
表８において、何れの加重においても、本実施例のゴルフ靴の摩擦抵抗値が最も高く、比較例１乃至６の何れのゴルフ靴よりも、グリップ力があり、滑りにくいことが解る。この評価より、本発明の優位性が明らかにされた。なお、表２乃至７に示すように、靴内の加重と摩擦抵抗との関係は、何れの方向、芝の種類の長短の如何によらず、本発明の優位性が明らかである。
【００７３】
以上、実施例に基づいて本発明を説明したが、本発明は上記実施例に何ら限定されるものではなく、本発明の趣旨を逸脱しない範囲内で種々の改良変形が可能である。例えば、柱状突起の材質、寸法、形状、靴底の柱状突起の個数、配列、柱状突起の製法は、上記及び図示したものに何ら限定されるものではなく、本発明の趣旨を逸脱しない範囲内で種々の改良変形が可能である。
【００７４】
靴底１０は、左右共通の靴底パターンで形成されており、右利き、左利き関係なく、両方の靴底１０に適用でき、ゴルフスイングの際の力の向きに対応できることはいうまでもない。
【００７５】
また、柱状突起１，２，３は、１つの柱状突起１と３つの柱状突起２と２つの柱状突起３とを組合せた１つのユニット突起群と捉えることができ、これらユニット突起群を異なる種々の方向に向けて複数配置してあっても良い。
【００７６】
特に、柱状突起４，５は、本実施例では、靴底１０からの高さが高い方の辺がより低い方の辺より長く形成された略台形の底面を有する四角柱状に形成してあるが、これとは逆に靴底１０からの高さが高い方の辺がより低い方の辺より短く形成された略台形の底面を有する四角柱状に形成してあっても良い。
【表１】
2005040237.tif 000003
靴底の材質である耐摩ラバーの配合の明細を示す表である。
【表２】
2005040237.tif 000004
重量７００ｇ、芝の種類が短い場合の、実施例の靴底と比較例の靴底のグリップテストの比較実施結果を示す表である。
【表３】
2005040237.tif 000005
重量２ｋｇ、芝の種類が短い場合の、実施例の靴底と比較例の靴底のグリップテストの比較実施結果を示す表である。
【表４】
2005040237.tif 000006
重量５ｋｇ、芝の種類が短い場合の、実施例の靴底と比較例の靴底のグリップテストの比較実施結果を示す表である。
【表５】
2005040237.tif 000007
重量１０ｋｇ、芝の種類が短い場合の、実施例の靴底と比較例の靴底のグリップテストの比較実施結果を示す表である。
【表６】
2005040237.tif 000008
重量２ｋｇ、芝の種類が長い場合の、実施例の靴底と比較例の靴底のグリップテストの比較実施結果を示す表である。
【表７】
2005040237.tif 000009
重量５ｋｇ、芝の種類が長い場合の、実施例の靴底と比較例の靴底のグリップテストの比較実施結果を示す表である。
【表８】
2005040237.tif 000010
靴内の加重と摩擦抵抗値との関係を示す表である。
【００７７】
【発明の効果】
請求項１〜９の何れかに記載の靴底によれば、ゴルフスイングの際に芝生面上で最適なグリップ力を有するとともに、クラブハウス等の床面の損傷を防止することができ、しかも、アスファルト面等を歩行しても突起の摩耗、損傷が少なく、安定性、耐久性及び衝撃吸収性に優れ、日常一般的な用途の靴にも使用できる優れた利便性を有するという効果を奏する。さらに、ゴルフのスイング時と歩行時のグリップ力との調和が図られていることにより優れた安定性を備えるという効果を奏する。
【図面の簡単な説明】
【図１】本発明に係る靴底の外観を示す底面図である。
【図２】ゴルフスイングの際に両足の靴底にかかる力の方向を示す概念図である。
【図３】本発明に係る靴底とスイング時にその靴底にかかる力の方向とを示す靴底全体の底面図である。
【図４】図４は柱状突起を示す図であり、図４（ａ）は柱状突起の高さの違いを示す図であり、図４（ｂ）は柱状突起と芝生面との関係を示す図である。
【図５】本発明に係る靴底とスイング開始時からスイング後までにその靴底にかかる力の方向とを示す底面図である。
【図６】柱状突起を示す斜視図である。
【図７】柱状突起の高さの違いと表面面積との関係を示す図であり、図７（ａ）は柱状突起の高さが同じ場合を示す図であり、図７（ｂ）は柱状突起の高さを変えた状態を示す図である。
【図８】図８は滑り止め突起として作用する柱状突起を示す斜視図であり、図８（ａ）はその柱状突起の形状と配置を示す斜視図であり、図８（ｂ）は歩行の際の柱状突起の作用を示す概念図である。
【図９】硬度の高い柱状突起と硬度の低い柱状突起との配置を示す靴底全体の底面図である。
【図１０】本発明に係る靴底とスイング前半のその靴底にかかる力の方向とを示す靴底全体の底面図である。
【図１１】本発明に係る靴底とスイング中半のその靴底にかかる力の方向とを示す靴底全体の底面図である。
【図１２】本発明に係る靴底とスイング後半のその靴底にかかる力の方向とを示す靴底全体の底面図である。
【図１３】従来の靴底の１例を示す底面図である。
【図１４】その他の従来の靴底の例を示す底面図である。
【符号の説明】
１，２，３  柱状突起（柱状突起）
２ａ        溝
３ａ        凹部
４，５      柱状突起（滑り止め突起）
６，７      柱状突起
１０        靴底
８０        従来の靴底１
９０        従来の靴底２
【図１】
2005040237.tif 000011
【図２】
2005040237.tif 000012
【図３】
2005040237.tif 000013
【図４】
2005040237.tif 000014
【図５】
2005040237.tif 000015
【図６】
2005040237.tif 000016
【図７】
2005040237.tif 000017
【図８】
2005040237.tif 000018
【図９】
2005040237.tif 000019
【図１０】
2005040237.tif 000020
【図１１】
2005040237.tif 000021
【図１２】
2005040237.tif 000022
【図１３】
2005040237.tif 000023
【図１４】
2005040237.tif 000024